(57)【要約】【課題】アクセスポイント側の要因により接続不可となった場合に、これに対応する機能を備えた無線通信装置を提供する。【解決手段】本発明の画像再生装置は、フラッシュメモリ１４と、通信Ｉ／Ｆ２１とを有する。また無線通信網に接続されたアクセスポイント３に任意に設定されたＳＳＩＤと、アクセスポイント３に一意に割り当てられたＭＡＣアドレスと、を通信Ｉ／Ｆ２１を用いてアクセスポイント３から取得する情報取得部１１ｂを有する。また、アクセスポイント３との接続履歴と、ＳＳＩＤと、ＭＡＣアドレスとを関連付けた関連情報をフラッシュメモリ１４に記録する履歴管理部１１ｃを有する。また、関連情報に示されているＳＳＩＤのアクセスポイント３が検出できない場合に、このＳＳＩＤに関連付けられているＭＡＣアドレスを持つアクセスポイント３を検出して通知する接続制御部１１ｄを有する。【選択図】図２
2014160889.tif 000002
【特許請求の範囲】
【請求項１】
無線通信網に接続して無線通信を行う無線通信部と、
前記無線通信網に接続された無線通信機に任意に設定された接続用情報と、前記無線通信機に一意に割り当てられた識別情報と、を前記無線通信部を用いて前記無線通信機から取得し、前記接続用情報と前記識別情報とを関連付けた関連情報を記録部に記録する情報管理部と、
前記関連情報に示されている前記接続用情報が設定された前記無線通信機が検出できるか否かを判定する判定部と、
前記判定部による判定結果が否であれば、前記接続用情報に関連付けられている前記識別情報を持つ前記無線通信機を検出して通知する接続制御部と、を有する無線通信装置。
【請求項２】
前記接続制御部は、前記関連情報に示されている前記接続用情報が設定された前記無線通信機が検出できるか否かの判定結果が否であれば、該接続用情報に関連付けられている前記識別情報を持つ前記無線通信機を検出し、該無線通信機に設定されている前記接続用情報を用いて接続を試みることを特徴とする請求項１に記載の無線通信装置。
【請求項３】
画像信号を生成する画像信号生成部を更に有し、
前記接続制御部は、前記通知を行う際に、検出に成功した前記無線通信機に設定されている前記接続用情報と、前記関連情報において該無線通信機の前記識別情報に関連付けられている前記接続用情報と、を示す画像を前記画像信号生成部により生成して出力することを特徴とする請求項１又は請求項２に記載の無線通信装置。
【請求項４】
操作指示を受け付ける操作部を更に有し、
前記接続制御部は、前記通知を行った後、検出に成功した前記無線通信機に設定されている前記接続用情報を用いて接続を試みるか否かの指示を前記操作部により受け付けることを特徴とする請求項１〜請求項３のいずれか１項に記載の無線通信装置。
【請求項５】
前記情報管理部は、前記接続用情報として、ＳＳＩＤ（Service Set Identifier）またはＥＳＳＩＤ（Extended Service Set Identifier）を取得し、前記識別情報としてＭＡＣ（Media Access Control）アドレスを取得すること
を特徴とする請求項１〜請求項４のいずれか１項に記載の無線通信装置。
【請求項６】
前記情報管理部は、前記接続用情報として、暗号化用情報であるＷＥＰ（Wired Equivalent Privacy）情報、ＷＰＡ（Wi-Fi Protected Access）情報、またはＡＥＳ(Advanced Encryption Standard）情報を取得すること
を特徴とする請求項１〜請求項４のいずれか１項に記載の無線通信装置。
【請求項７】
無線通信網に接続して無線通信を行う無線通信部と、
前記無線通信網に接続された無線通信機に任意に設定された接続用情報と、前記無線通信機に一意に割り当てられた識別情報と、を前記無線通信部を用いて前記無線通信機から取得し、前記接続用情報と前記識別情報とを関連付けた関連情報を記録部に記録する情報管理部と、
前記関連情報に示されている前記接続用情報が設定された前記無線通信機が検出できるか否かを判定する判定部と、
前記判定部による判定結果が否であれば、前記接続用情報に関連付けられている前記識別情報を持つ前記無線通信機を検出して自動接続を試みる接続制御部と、を有する無線通信装置。
【発明の詳細な説明】
【技術分野】
【０００１】
本発明は、無線通信装置に関する。
【背景技術】
【０００２】
近年、画像や音声の出力を行うための画像再生装置として、テレビジョン装置、ＤＶＤ（Digital Versatile Disk）プレーヤ、ＢＤ（Blu-ray Disc：登録商標）プレーヤ等が普及している。また、これら複数の画像再生装置を一装置にまとめた複合機も普及している。
【０００３】
これらの画像再生装置の中には、無線ＬＡＮ（Local Area Network）等の無線通信網を介してアクセスポイント（＝無線通信機）に接続して通信を行う機能、いわゆる無線通信機能を備えた画像再生装置が普及している。無線通信機能を用いることにより、例えば画像や音声を含む再生コンテンツを、アクセスポイントを介してネットワークから取得し、再生することが可能である。
【０００４】
従来の無線通信において、端末装置（例えば画像再生装置）とアクセスポイントとは、ＭＡＣ（Media Access Control）アドレスやＳＳＩＤ（Service Set Identifier）を用いて、相互に接続を行っていた。アクセスポイントを検出した端末装置は、そのアクセスポイントのＳＳＩＤをユーザに通知し、接続を行うか否かの選択を待ち受ける。
【０００５】
接続が選択されると、ＷＥＰ（Wired Equivalent Privacy）キー等による認証処理を行った後、通信回線を開く。以降は、ＳＳＩＤ及びＷＥＰキーを端末装置に記録しておくことにより、自動的に接続することが可能である。
【０００６】
上記に関連する技術として、特許文献１には、アクセスポイントのＳＳＩＤが変更されて接続に失敗した場合に、受信電界強度が最も大きい他のＳＳＩＤを選択し、新たに認証処理を行って接続する無線通信端末装置が開示されている。
【先行技術文献】
【特許文献】
【０００７】
【特許文献１】特開２００４−１８００１０号公報
【発明の概要】
【発明が解決しようとする課題】
【０００８】
しかしながら、上記の無線通信端末装置では、ＳＳＩＤが変更される度に、ユーザが手動でＷＥＰキーの入力等の認証処理を行わねばならず、手間がかかるという問題があった。また上記の技術は、複数のアクセスポイントが混在する環境を想定したものであり、家庭内ＬＡＮのようにアクセスポイントが一つしかない環境では効果が期待できないという問題があった。
【０００９】
本発明の目的は、無線通信網を介して所定の無線通信機に無線接続する機能を備えた無線通信装置であって、過去に接続可能であった無線通信機が接続不可となった場合に、これに対応する機能を備えた無線通信装置を提供することにある。
【課題を解決するための手段】
【００１０】
上記目的を達成するために本発明の一局面に係る無線通信装置は、無線通信網に接続して無線通信を行う無線通信部と、前記無線通信網に接続された無線通信機に任意に設定された接続用情報と、前記無線通信機に一意に割り当てられた識別情報と、を前記無線通信部を用いて前記無線通信機から取得し、前記接続用情報と前記識別情報とを関連付けた関連情報を記録部に記録する情報管理部と、前記関連情報に示されている前記接続用情報が設定された前記無線通信機が検出できるか否かを判定する判定部と、前記判定部による判定結果が否であれば、前記接続用情報に関連付けられている前記識別情報を持つ前記無線通信機を検出して通知する接続制御部と、を有することを特徴としている。
【００１１】
この構成によると、過去に接続した実績のある無線通信機との接続に失敗した場合に、この無線通信機と同一の識別情報を持つ無線通信機を検出し通知する。このため、無線通信機側で接続用情報が変更されたことに起因して接続に失敗した場合に、接続失敗の理由をユーザに通知することができる。
【００１２】
また上記の構成から成る無線通信装置は、前記接続制御部が、前記関連情報に示されている前記接続用情報が設定された前記無線通信機が検出できるか否かの判定結果が否であれば、該接続用情報に関連付けられている前記識別情報を持つ前記無線通信機を検出し、該無線通信機に設定されている前記接続用情報を用いて接続を試みる構成にするとよい。
【００１３】
この構成によると、無線通信機側で接続用情報が変更されたことに起因して接続に失敗した場合に、変更後の接続用情報を用いて自動接続を試みることができる。
【００１４】
また上記の構成から成る無線通信装置は、画像信号を生成する画像信号生成部を更に有し、前記接続制御部は、前記通知を行う際に、検出に成功した前記無線通信機に設定されている前記接続用情報と、前記関連情報において該無線通信機の前記識別情報に関連付けられている前記接続用情報と、を示す画像を前記画像信号生成部により生成して出力する構成にするとよい。
【００１５】
この構成によると、無線通信機側で接続用情報が変更されたことに起因して接続に失敗した場合に、変更前の接続用情報と変更後の接続用情報とをユーザに通知することができる。
【００１６】
また上記の構成から成る無線通信装置は、操作指示を受け付ける操作部を更に有し、前記接続制御部は、前記通知を行った後、検出に成功した前記無線通信機に設定されている前記接続用情報を用いて接続を試みるか否かの指示を前記操作部により受け付ける構成にするとよい。
【００１７】
この構成によると、変更後の接続用情報を用いて接続を試みるか否かを、ユーザが選択することができる。
【００１８】
また上記の構成から成る無線通信装置は、前記情報管理部が、前記接続用情報としてＳＳＩＤ（Service Set Identifier）またはＥＳＳＩＤ（Extended Service Set Identifier）を取得し、前記識別情報としてＭＡＣ（Media Access Control）アドレスを取得する構成にするとよい。
【００１９】
この構成によると、無線通信機側でＳＳＩＤまたはＥＳＳＩＤが変更されたことに起因して接続に失敗した場合に、ＭＡＣアドレス用いて同一の無線通信機を検出し、変更後のＳＳＩＤまたはＥＳＳＩＤをユーザに通知することができる。
【００２０】
また上記の構成から成る無線通信装置は、前記情報管理部が、前記接続用情報として、暗号化用情報であるＷＥＰ（Wired Equivalent Privacy）情報、ＷＰＡ（Wi-Fi Protected Access）情報、またはＡＥＳ(Advanced Encryption Standard）情報を取得する構成にするとよい。
【００２１】
この構成によると、無線通信機側でＷＥＰキー等の暗号化情報が変更されたことに起因して接続に失敗した場合に、ＭＡＣアドレス用いて同一の無線通信機を検出し、この無線通信機の暗号化情報が変更されたことをユーザに通知することができる。
【００２２】
また、本発明の他局面に係る無線通信装置は、無線通信網に接続して無線通信を行う無線通信部と、前記無線通信網に接続された無線通信機に任意に設定された接続用情報と、前記無線通信機に一意に割り当てられた識別情報と、を前記無線通信部を用いて前記無線通信機から取得し、前記接続用情報と前記識別情報とを関連付けた関連情報を記録部に記録する情報管理部と、前記関連情報に示されている前記接続用情報が設定された前記無線通信機が検出できるか否かを判定する判定部と、前記判定部による判定結果が否であれば、前記接続用情報に関連付けられている前記識別情報を持つ前記無線通信機を検出して自動接続を試みる接続制御部と、を有する。
【００２３】
この構成によると、無線通信機側で接続用情報が変更されたことに起因して接続に失敗した場合に、ユーザへの通知を省略して、変更後の接続用情報を用いて自動接続を試みることができる。
【発明の効果】
【００２４】
本発明によれば、過去に接続可能であった無線通信機が無線通信機側の要因により接続不可となった場合に、ユーザに対する通知を行う。これによりユーザは、接続不可となった理由を適切に認識することができる。
【図面の簡単な説明】
【００２５】
【図１】本発明の画像再生装置の機能部の構成を示すブロック図である。
【図２】本発明の画像再生装置の内部構成を示すブロック図である。
【図３】無線接続処理を示すフロー図である。
【図４】確認画面を示す画面図である。
【図５】確認画面を示す画面図である。
【図６】確認画面を示す画面図である。
【発明を実施するための形態】
【００２６】
以下に本発明の一実施形態を、図面を参照しつつ説明する。なお、ここで示す実施形態は一例であり、本発明はここに示す実施形態に限定されるものではない。
〈１．内部構成について〉
【００２７】
図１は、本発明の一実施形態に係るＢＤプレーヤ１（＝画像再生装置）の内部構成を示すブロック図である。ＢＤプレーヤ１は、本発明の一実施形態に係る無線通信装置として機能する。なお、図２における矢印線は画像／音声データの流れを示している。また、矢印のない直線は、制御部１１が各装置に対する制御信号等を送受信するための通信バスを示している。
【００２８】
ＢＤプレーヤ１は少なくとも、制御部１１、メモリ１２、操作部１３、フラッシュメモリ１４（＝記録部）、ＨＤＤ１５、光ディスクドライブ１６、放送受信部１７、信号処理部１８、ＯＳＤ（On-Screen Display）処理部１９、外部接続端子２０、及び通信Ｉ／Ｆ部２１（＝無線通信部）を含むように構成されている。なおＢＤプレーヤ１に有線接続される電子装置として、ディスプレイ２が存在する。またＢＤプレーヤ１に無線接続される電子装置として、アクセスポイント３（＝無線通信機）が存在する。
【００２９】
制御部１１は、ＢＤプレーヤ１の各部の駆動を制御することにより、画像／音声の再生処理や、外部装置との通信処理等を統括制御するためのものである。制御部１１は例えば、複数のマイクロプロセッサから構成されている。また制御部１１は、制御部１１が備える演算処理装置上で所定のプログラムを実行することにより実現される機能部として、後述する図２に示す複数の機能部を備えている。
【００３０】
メモリ１２は、ＢＤプレーヤ１が保持する各種データを一時的に記録する媒体であり、例えば書き込み可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００３１】
操作部１３は、ユーザがＢＤプレーヤ１に対して、画像／音声の再生指示等を行うためのものである。操作部１３は、例えばＢＤプレーヤ１のハウジングに設けられた複数のボタンや、図示しないリモコン及びリモコン信号受信部等を含む。操作部１３はこれらの装置により、ユーザ操作を受け付ける。ユーザ操作が受け付けられると、制御部１１は、操作内容に基づいて再生処理や記録処理等を行う。
【００３２】
フラッシュメモリ１４は、ＥＥＰＲＯＭの一種で、デバイスの利用者が書き込み／消去可能なＲＯＭである。フラッシュメモリ１４は回路基板に実装したままで書き込み、消去ができるため、ユーザ使用時に書き換えが必要な用途、例えば再生設定情報、通信設定情報、ユーザの個人情報等を保存するのに用いられる。
【００３３】
ＨＤＤ１５は、デジタルデータを記録する磁気記録媒体である。ＨＤＤ１５は、複数の磁気ディスクを回転させつつ、アクチュエータによりヘッドを移動させることにより、データの記録や読み出しを行う。本実施形態では主に、放送波に含まれる画像／音声データから生成される録画データを記録するのに用いられる。
【００３４】
光ディスクドライブ１６は、ＢＤメディア、或いはＤＶＤメディア等の光ディスクに対して光学的に各種データの読み取りを行うための光学装置である。光ディスクドライブ１６は、光ピックアップ（不図示）の制御を行うことにより、光ディスクに光ビームを照射して、光ディスクに記録された音声情報、画像情報等の各種情報の読み取りを行う。
【００３５】
放送受信部１７は、外部のアンテナ（不図示）に接続されてデジタル／アナログ放送の選局、受信、周波数変換、増幅、復調等を行う。放送受信部１７は、アナログ方式であればアナログチューナ、画像中間周波増幅回路、復調回路、及び増幅回路等を含むように構成されている。またデジタル方式であれば、デジタルチューナ、及び誤り訂正部等を含むように構成されている。
【００３６】
信号処理部１８は、放送受信部１７が生成したＴＳや、光ディスクドライブ１６が光ディスクより読み出したデジタルデータを入力し、音声情報を含む音声デジタル信号と、画像情報を含む画像デジタル信号とに分離する多重分離部である。具体的には例えば、放送受信部１７より生成されたＴＳを、ＴＳパケットに分割する。そしてＴＳパケットを再結合することにより、音声／画像のＰＥＳを生成する。
【００３７】
そしてＰＥＳを結合することにより、ＥＳ（Elementary Stream＝符号化された音声／画像データ）を生成する。さらに信号処理部１８はＥＳの復号を行い、各種デジタル信号に変換する。復号により得られたデジタル信号は、記録する場合はＨＤＤ１５へ与えられる。またディスプレイ２に出力する場合は、外部接続端子２０へ与えられる。
【００３８】
ＯＳＤ処理部１９は、画像信号を生成する機能部である。ＯＳＤ処理部１９は、ＢＤプレーヤ１が出力すべき情報をユーザが視認できる画像データに変換し、変換した画像データをディスプレイ２に表示するための画像信号を生成する。生成された画像信号は、外部接続端子２０より出力される。
【００３９】
外部接続端子２０は、例えばＨＤＭＩ（High Definition Multimedia Interface）端子、ＵＳＢ（Universal Serial Bus）端子、シリアルケーブル接続端子等を含む、複数の入出力端子からなるインタフェースである。外部接続端子２０はこれらの入出力端子を用いて、ＢＤプレーヤ１と外部の装置、例えばディスプレイ２を接続し、デジタル信号またアナログ信号の入出力を行う。
【００４０】
通信Ｉ／Ｆ部２１は、ＢＤプレーヤ１を通信ネットワークと接続するための物理的なインタフェースである。通信Ｉ／Ｆ部２１は例えば、ＩＥＥＥ８０２．３規格に準拠した有線ＬＡＮに接続するためのＬＡＮケーブルコネクタや、ＩＥＥＥ８０２．１１規格に準拠した無線ＬＡＮに接続するための無線アンテナ等を含むように構成されている。これにより、無線通信網を介して接続された外部装置、例えばアクセスポイント３と相互通信を行い、アクセスポイントを介してインターネット等の広域通信網４に接続することが可能である。
【００４１】
ディスプレイ２は、図示しない表示部、操作部、制御部、及び接続部を備える表示装置である。ディスプレイ２は例えば、接続部に含まれるＨＤＭＩ端子に接続されたＨＤＭＩケーブルを介して、画像／音声を含むデジタル信号を受け付ける。そしてデジタル信号の複合化を行い、画像／音声の出力を行う。
【００４２】
アクセスポイント３は、無線通信網に接続された無線通信機であり、例えば一般的な無線ＬＡＮルータがこれに相当する。アクセスポイント３は、その管理者により任意のＳＳＩＤ（＝接続用情報）やＷＥＰキー（＝暗号化用情報）設定可能である。また、アクセスポイント３の通信Ｉ／Ｆ部（不図示）には、その製造時に一意のＭＡＣアドレス（＝識別情報）が割り当てられている。
〈２．機能部の構成について〉
【００４３】
ここで、本発明の一実施形態に係るＢＤプレーヤ１が無線接続処理を実施するための各機能部の関係を、図２のブロック図を用いながら説明する。なお、図２における破線矢印線は、制御信号の流れを示している。
【００４４】
図２に示すように本発明の無線接続処理は、制御部１１が備える録画再生部１１ａ（＝出力制御部）、情報取得部１１ｂ、履歴管理部１１ｃ、及び接続制御部１１ｄにより実施される。
【００４５】
録画再生部１１ａは、ＨＤＤ１５に対する録画データの記録や、光ディスクドライブ１６に装着された光ディスクの再生処理等の統括制御を行う。なお再生処理においては、動画ファイルのフォーマットに応じたコーデックを不図示のＲＯＭ（Read Only Memory）等から読み出し、動画ファイルをデコードしてデジタルデータ生成し、信号処理部１８へ与える。
【００４６】
情報取得部１１ｂは、無線通信網上で検出されたアクセスポイント３のＳＳＩＤやＭＡＣアドレス等、無線通信に関連する情報を取得する。また接続に成功した場合に、接続時間や接続回数、接続に用いられたＷＥＰキー等の認証情報、アクセスポイント３の種別（暗号化がなされているか否か等）に関する情報を取得する。
【００４７】
なおＳＳＩＤは、サービスセット識別子であり、アクセスポイントに任意に設定された接続用情報である。またＷＥＰキーは、無線通信区間におけるデータの暗号化用情報である。またＭＡＣアドレスは、ネットワーク機器のハードウェアに一意に割り当てられる識別情報である。
【００４８】
履歴管理部１１ｃは、情報取得部１１ｂが取得した各種情報、例えばＳＳＩＤ、ＭＡＣアドレス、ＷＥＰキー、接続履歴等を相互に関連付けた関連情報を生成し、フラッシュメモリ１４に記録する。なお関連情報は、アクセスポイント３毎に個別に生成される。つまり、一つの関連情報には、一つのアクセスポイント３のＳＳＩＤやＭＡＣアドレスが関連付けられて記録されている。なお、情報取得部１１ｂと、履歴管理部１１ｃから情報管理部１１１が構成される。
【００４９】
接続制御部１１ｄは、通信Ｉ／Ｆ部２１が有する無線アンテナにより接続された無線通信網を介して、無線通信を行うための通信制御を行う。これにより、アクセスポイント３に対してアクセス要求を行い、アクセスポイント３の各種情報を取得する。
【００５０】
また接続制御部１１ｄは、アクセスポイント３に無線接続するための各種設定を、ユーザより受け付ける。設定内容としては例えば、アクセスポイント３のＳＳＩＤやＷＥＰキー等が含まれる。
【００５１】
また接続制御部１１ｄは、上記の関連情報に示されている、過去に接続履歴のあるアクセスポイント３との接続に失敗した場合に、そのアクセスポイント３と同一のＭＡＣアドレスを持つアクセスポイント３を検出し、そのＳＳＩＤを取得する。取得に成功した場合、このアクセスポイント３のＳＳＩＤが変更されたとみなし、通知を行う。具体的な通知方法としては例えば、ＯＳＤ処理部１９により所定の通知画像を生成し、ディスプレイ２に出力する。
【００５２】
また接続制御部１１ｄは、上記の取得に成功した場合、再接続を試みる。再接続の際には、新たに取得されたＳＳＩＤを用いるとともに、ＳＳＩＤ以外は、過去の接続成功時と同様の接続設定にし、再接続を試行する。つまり、ＷＥＰキー等の接続設定について、過去の接続時のものを引き継ぐ。なお、自動的に再接続を行うか否かの選択をユーザより受け付けるための画面をＯＳＤ処理部１９により生成し、ユーザからの選択指示を操作部１３により受け付ける形態でもよい。
〈３．無線接続処理について〉
【００５３】
ここで、本発明の一実施形態に係るＢＤプレーヤ１が実施する無線接続処理を、図３のフロー図を用いながら説明する。なお図３に示す処理は、ＢＤプレーヤ１が通電されている状態において、任意のタイミングで開始することが可能である。
【００５４】
なお、本処理の前提として、ＢＤプレーヤ１は過去にアクセスポイント３に接続したことがあり、その接続履歴としてアクセスポイント３のＳＳＩＤ及びＭＡＣアドレスを示す関連情報がフラッシュメモリ１４に記録されているものとして説明する。また、ユーザ自身もしくはアクセスポイント３の管理者が、アクセスポイントのＳＳＩＤを、前回接続時以降に変更しているものとして説明する。
【００５５】
本処理の開始後、接続制御部１１ｄはステップＳ１１０において、アクセスポイント３への無線接続を試行する。より具体的には、前回接続に成功したアクセスポイント３のＳＳＩＤを持つアクセスポイント３が、無線電波の届く範囲内に存在するか否かを調べる。
【００５６】
ただし上述した通り、前提としてアクセスポイント３のＳＳＩＤが前回接続時以降に変更されているため、該当するＳＳＩＤを持つアクセスポイント３は発見できない。従って接続制御部１１ｄはステップＳ１２０において、接続失敗を検出する。
【００５７】
次に接続制御部１１ｄはステップＳ１３０において、接続に失敗したＳＳＩＤ以外のＳＳＩＤを持つアクセスポイント３が、無線電波の届く範囲内に検出された否かを調べる。検出されなかった場合、後述するステップＳ１６０へ移行する。
【００５８】
検出された場合、接続制御部１１ｄはステップＳ１４０において、フラッシュメモリ１４より関連情報を読み出し、関連情報に示されている過去に接続されたアクセスポイント３のＭＡＣアドレスを参照する。そしてステップＳ１５０において、検出されたアクセスポイント３に一致するＭＡＣアドレスがあるか否かを判定する。
【００５９】
一致するＭＡＣアドレスが存在しない場合、接続制御部１１ｄはステップＳ１６０において、ユーザに対してアクセスポイント３の検出に失敗した旨を通知する通知画像を、ＯＳＤ処理部１９により生成してディスプレイ２等に表示する。一致するＭＡＣアドレスが存在する場合、接続制御部１１ｄはステップＳ１５１において、ＭＡＣアドレスが一致したアクセスポイント３と通信を行い、このＳＳＩＤを取得する。
【００６０】
次に接続制御部１１ｄはステップＳ１５２において、ＭＡＣアドレスが一致したアクセスポイント３が、ＳＳＩＤの変更が行われたアクセスポイント３であることが推定される旨を通知する通知画像を、ＯＳＤ処理部１９により生成してディスプレイ２等に表示する。
【００６１】
次に接続制御部１１ｄはステップＳ１５３において、上記の通知画像を出力した状態で、ユーザからの選択指示、例えば接続を行うか否か等の選択指示を待ち受ける。ユーザからの選択指示を受け付けると、指示内容に応じた処理を行った後、本処理を終了する。
〈４．確認画面について〉
【００６２】
図４は、上記のステップＳ１５２で表示し、ステップＳ１５３での待ち受けを行うための確認画面８０の一例を示す画面図である。図４に示すように、確認画面８０には、メッセージウィンド８１と、カーソル８２とが含まれている。
【００６３】
メッセージウィンド８１には、過去の接続履歴があるアクセスポイント３との接続に失敗したことと、このアクセスポイント３と同一と推定されるアクセスポイント３が検出されたことを示すメッセージが表示されている。また、この新たに検出されたアクセスポイント３を、新規の接続先とするか否かを選択するためのボタンが表示されている。
【００６４】
ユーザはカーソル８２を操作することにより、新規の接続先とするか否かを選択できるようになっている。例えば上記の確認画面８０で「はい」が選択された場合、ＢＤプレーヤ１の無線接続設定において、自動接続先のＳＳＩＤを「ＡＰ＿００２」から「ＡＰ＿００７」に変更する。そして、関連情報に示されている過去に使用された「ＡＰ＿００２」接続用の各種設定、例えばＷＥＰキー等を、「ＡＰ＿００７」接続用の設定としてコピーする。これにより、「ＡＰ＿００２」の設定を引き継ぐことができる。
【００６５】
なお、図４には図示していないが、自動接続先のＳＳＩＤを「ＡＰ＿００７」に変更することが指定された場合に、接続用のＷＥＰキーの入力を新たに受け付けるための画像を表示し、入力を受け付ける形態でもよい。或いは、まず「ＡＰ＿００２」接続用のＷＥＰキーで接続を試行した後、接続失敗した時点で、新たなＷＥＰキーの入力を受け付ける形態でもよい。
【００６６】
また図５及び図６は、確認画面の８０の変形例を示す画面図である。図５に示す確認画面９０には、メッセージウィンド９１と、カーソル９２と、チェックマーク９３とが含まれている。
【００６７】
メッセージウィンド９１には、現在無線ネットワーク上で検出されている全てのアクセスポイント３のＳＳＩＤが表示されている。さらに、過去の接続履歴のあるアクセスポイント３のＳＳＩＤが、チェックマーク９３により示されている。
【００６８】
これにより、例えばユーザが初めて「ＡＰ＿００７」というＳＳＩＤのアクセスポイント３を見た場合に、アクセスポイント３が、ＳＳＩＤの変更がなされたアクセスポイント３であるのではないかと推測できるようにしている。
【００６９】
さらに図６に示す確認画面９０には、メッセージウィンド９１〜チェックマーク９３に加え、補助情報９４が含まれている。補助情報９４は、過去の接続履歴のあるアクセスポイント３と現在検出されているアクセスポイント３とを比較し、ＭＡＣアドレスは同一であるがＳＳＩＤが異なるアクセスポイント３に対して、過去のＳＳＩＤ等を示すための情報である。
【００７０】
図６の例では、過去に接続されていた「ＡＰ＿００２」というＳＳＩＤのアクセスポイント３が、現在の「ＡＰ＿００７」というＳＳＩＤのアクセスポイント３と同一であることが推定されることが、補助情報９４により示されている。なお補助情報９４は、図６に示すような文字列画像に限定されるものではなく、ＳＳＩＤの変更がなされたことをユーザが推測できる画像であればよく、例えば所定のアイコン画像等を用いる形態でもよい。
【００７１】
以上に説明した本実施形態によれば、アクセスポイント３側でなんらかの設定変更、例えばＳＳＩＤの変更等がなされて接続不可となった場合に、過去の接続履歴に示されているＭＡＣアドレスを用いて通知または再接続を行う。このためユーザは、アクセスポイント３側の要因で通信不可となった場合に、その理由を適切に認識することができる。また、ネットワーク接続の再設定をユーザが行う手間を、省くことができる。
［その他の実施の形態］
【００７２】
以上、好ましい実施の形態及び実施例を挙げて本発明を説明したが、本発明は必ずしも上記実施の形態に限定されるものではなく、その技術的思想の範囲内において様々に変形して実施することができる。
【００７３】
従って本発明は、以下の形態にも適用可能である。
【００７４】
（Ａ）上記実施形態では、本発明の画像再生装置の一例としてＢＤプレーヤ１を例に挙げているが、無線通信機能を備えた画像再生装置であれば、これ以外の画像再生装置において本発明を実施する形態でもよい。例えば、無線機能付きテレビや、無線機能付きＤＶＤプレーヤ等で実施する形態であってもよい。また、本発明の無線通信装置は、画像再生装置以外にも適用可能である。
【００７５】
（Ｂ）上記実施形態では、本発明の無線接続処理に関わる各機能部が、マイクロプロセッサ等の演算処理装置上でプログラムを実行することにより実現されているが、各機能部が複数の回路により実現される形態でもよい。
【００７６】
（Ｃ）上記実施形態では、アクセスポイント３側でＳＳＩＤが変更されたことにより接続不可となる例を説明しているが、ＳＳＩＤ以外の設定情報がアクセスポイント３側で変更されて接続ができなくなった場合に、上記と同様の通知、及びＢＤプレーヤ１の設定変更を行う形態でもよい。例えば、アクセスポイント３側でＷＥＰキーやセキュリティパターン（使用されている暗号方式等）が変更された場合に、確認画面８０を用いてこれを通知し、ＷＥＰキーやセキュリティパターンを変更するか否かの選択をユーザより受け付ける形態でもよい。
【符号の説明】
【００７７】
１      ＢＤプレーヤ（画像再生装置）
２      ディスプレイ
３      アクセスポイント（無線通信機）
４      広域通信網
１１    制御部
１１ａ    録画再生部（出力制御部）
１１ｂ    情報取得部
１１ｃ    履歴管理部
１１ｄ    接続制御部（判定部）
１１１    情報管理部
１２    メモリ
１３    操作部
１４    フラッシュメモリ（記録部）
１５    ＨＤＤ
１６    光ディスクドライブ
１７    放送受信部
１８    信号処理部
１９    ＯＳＤ処理部
２０    外部接続端子
２１    通信Ｉ／Ｆ部（無線通信部）
【図１】
2014160889.tif 000003
【図２】
2014160889.tif 000004
【図３】
2014160889.tif 000005
【図４】
2014160889.tif 000006
【図５】
2014160889.tif 000007
【図６】
2014160889.tif 000008